(57)【特許請求の範囲】
【請求項１】
アンテナと、
増幅手段と、
この増幅手段の出力が供給される出力端子と、
入力端子と、
この入力端子を前記アンテナに接続した状態と、前記アンテナを前記増幅手段に接続した状態とのうちいずれか選択された状態とする切り換え手段とを、
１つの筐体に具備してなり、家庭内に複数台が設置され、
前記複数台のうち１台の前記入力端子が、前記家庭内に設けられて共同受信信号を伝送している共同受信装置の端末端子に接続されたとき、前記入力端子を前記アンテナに接続した状態に前記切換手段を切り換えて、送信装置として使用し、
前記複数台のうち残りのものの前記出力端子が、前記端末端子とは離れた位置にある前記家庭内のテレビジョン受像機に接続されたとき、前記アンテナを前記増幅手段に接続する状態に前記切換手段を切り換えて、受信装置として使用する
室内用テレビジョン放送信号伝送装置。
【請求項２】
受信アンテナと、
増幅手段と、
この増幅手段の出力が供給される出力端子と、
送信アンテナと、
入力端子と、
この入力端子を前記送信アンテナに接続した状態と、前記受信アンテナを前記増幅手段に接続した状態とのうち、選択された状態とする切換手段とを、
１つの筐体に具備してなり、家庭内に複数台が設置され、
前記複数台のうち１台の前記入力端子が、前記家庭内に設けられて共同受信信号を伝送している共同受信装置の端末端子に接続されたとき、前記入力端子を前記送信アンテナに接続した状態に前記切換手段を切り換えて、送信装置として使用し、
前記複数台のうち残りのものの前記出力端子が、前記端末端子から離れた位置にある前記家庭内のテレビジョン受像機に接続されたとき、前記受信アンテナを前記増幅手段に接続した状態に前記切換手段を切り換えて、受信装置として使用する
室内用テレビジョン放送信号伝送装置。
【発明の詳細な説明】
【技術分野】
【０００１】
本発明は、室内においてテレビジョン放送信号を伝送する装置に関し、特にアンテナを用いたものに関する。
【背景技術】
【０００２】
室内においてテレビジョン放送信号を伝送する場合、家庭用共同受信システムを使用することが多い。この家庭用共同受信システムが既に設置されている状態において、新たな場所にテレビジョン放送信号を伝送する場合、例えば特許文献１に開示されているような技術を使用することができる。特許文献１の技術では、家屋の外部に設置した衛星放送受信アンテナで受信した衛星放送信号を伝送線路を介して家屋内の様々な位置に伝送し、これら様々な位置に設けた再送信装置によって衛星放送信号を再送信している。
【０００３】
【特許文献１】特開２００５−３４１５０３号公報
【発明の開示】
【発明が解決しようとする課題】
【０００４】
しかし、この技術では、新たな場所で衛星放送信号を受信しようとすると、その近辺位置まで伝送線路を新たに敷設した上で、再送信装置を新たに設ける必要があり、その工事が複雑であった。
【０００５】
本発明は、簡単な工事で新たな場所でテレビジョン放送信号を受信可能とする室内用テレビジョン放送信号伝送装置を提供することを目的とする。
【課題を解決するための手段】
【０００６】
本発明の一態様の室内用テレビジョン放送信号伝送装置は、アンテナと、増幅手段と、この増幅手段の出力が供給される出力端子と、入力端子と、  この入力端子を前記アンテナに接続した状態と、前記アンテナを前記増幅手段に接続した状態とのうちいずれか選択された状態とする切り換え手段とを、１つの筐体に具備してなる。この室内用テレビジョン放送信号伝送装置が、家庭内に複数台設置されている。前記複数台のうち１台の前記入力端子が、前記家庭内に設けられて共同受信信号を伝送している共同受信装置の端末端子に接続されたとき、前記入力端子を前記アンテナに接続した状態に前記切換手段を切り換えて、送信装置として使用する。前記複数台の室内用テレビジョン放送信号伝送装置のうち残りのものの前記出力端子が、前記端末端子から離れた位置にある前記家庭内のテレビジョン受像機に接続されたとき、前記アンテナを前記増幅手段に接続する状態に前記切換手段を切り換えて、受信装置として使用する。
【０００７】
これによって、増幅された共同受信信号がテレビジョン受信機に供給される。なお、アンテナをいわゆる室内アンテナとして使用して、放送局から送信されているテレビジョン放送信号を受信し、これを増幅するように、このテレビジョン放送信号伝送装置を使用することもできる。
【０００８】
このように室内用テレビジョン放送信号伝送装置を複数使用することによって、家庭内の様々な部屋に伝送線路を新たに敷設しなくても、新たな場所で共同受信信号を受信することが可能となる。その上、テレビジョン受信機が追加されても、その追加に伴って、このテレビジョン放送信号伝送装置を追加するという簡単な作業のみで対応することができる。
【００１１】
本発明の別の態様の室内用テレビジョン放送信号伝送装置は、増幅手段と、この増幅手段の出力が供給される出力端子と、送信アンテナと、入力端子と、この入力端子を前記送信アンテナに接続した状態と、前記受信アンテナを前記増幅手段に接続した状態とのうち、選択された状態とする切換手段とを、１つの筐体に具備してなり、家庭内に複数台が設置されている。前記複数台の室内用テレビジョン放送信号伝送装置のうち１台の前記入力端子が、前記家庭内に設けられて共同受信信号を伝送している共同受信装置の端末端子に接続されたとき、前記入力端子を前記送信アンテナに接続した状態に前記切換手段を切り換えて、送信装置として使用し、前記複数台の室内用テレビジョン放送信号伝送装置のうち残りのものの前記出力端子が、前記端末端子から離れた位置にある前記家庭内のテレビジョン受像機に接続されたとき、前記受信アンテナを前記増幅手段に接続した状態に前記切換手段を切り換えて、受信装置として使用する。
【００１２】
このように構成された室内用テレビジョン放送信号伝送装置では、上述したのと同様に、家庭内の様々な部屋に伝送線路を新たに敷設しなくても、新たな場所で共同受信信号を受信することが可能となる。しかも受信用アンテナと送信用アンテナとを別個に設けているので、受信用アンテナには指向性アンテナを使用して良好に受信できるようにし、送信用アンテナには無指向性アンテナを使用して様々な方向に再送信できる。
【発明の効果】
【００１３】
以上のように、本発明による室内用テレビジョン放送信号伝送装置を使用すると、簡単な工事で新たな場所でテレビジョン放送信号を受信可能とすることができる。
【発明を実施するための最良の形態】
【００１４】
本発明の第１の実施形態の室内用テレビジョン放送信号伝送装置は、図１に示すように筐体２を有し、この筐体２には、アンテナ４が設置されている。アンテナ４は、共同受信信号を送受信することが可能なものである。共同受信信号については後述する。
【００１５】
このアンテナ４は、筐体２内に設けた切換手段、例えば切換スイッチ６の接触子６ａに接続されている。切換スイッチ６は、接触子６ａの他に接点６ｂ、６ｃを有し、接触子６ａは、手動操作或いは外部に設けられたリモートコントローラ８によって接点６ｂ、６ｃの一方に接触させられる。
【００１６】
切換スイッチ６の接点６ｂには、筐体２内に設けた増幅手段、例えば増幅器１０の出力信号が供給されている。増幅器１０には、筐体２に設けた入力端子１２からの入力信号が供給され、これを増幅して接点６ｂに供給している。入力端子１２は、例えば図２（ａ）に示すように家屋の部屋の壁面等に設置されている端末端子１４に接続可能である。この端末端子１４は、家庭用共同受信装置の一部を成し、共同受信信号が供給されている。
【００１７】
共同受信信号は、例えば１戸立ての家屋では、屋根に設けたアンテナで受信した地上アナログテレビジョン放送信号、地上デジタルテレビジョン放送信号、衛星放送受信用アンテナで衛星放送信号を受信し、そのアンテナに付属するコンバータで周波数変換した衛星放送中間周波信号、衛星通信受信用アンテナで衛星通信信号を受信し、そのアンテナに付属するコンバータで周波数変換した衛星通信中間周波信号のうち、少なくとも１つを含み、家屋内の複数箇所まで伝送線路によって伝送され、上記端末端子１４に供給されるものである。また、集合住宅では、集合住宅の屋上にアンテナを設置し、上述した各信号のうち所望のものを伝送線路を介して各住宅に設けた端末端子に供給するものである。
【００１８】
一方、切換スイッチ６の接点６ｃは筐体２内に設けた増幅手段、例えば増幅器１６の入力側に供給されている。増幅器１６の出力信号は、筐体２に設けた出力端子１８に供給されている。出力端子１８は、例えば図２（ｂ）に示すように、テレビジョン受信機２０に接続可能である。
【００１９】
このように構成された室内用テレビジョン放送信号伝送装置は、次のように使用される。例えば図２（ａ）に示すように、１台の室内用テレビジョン放送信号伝送装置を、端末端子１４が設けられている部屋に配置し、端末端子１４と入力端子１２とを接続し、切換スイッチ６の接触子６ａを接点６ｂ側に切り換える。これによって、端末端子１４、入力端子１２を介して増幅器１０に供給され、増幅されたテレビジョン放送信号は、切換スイッチ６を介してアンテナ４に供給され、ここから再送信される。
【００２０】
一方、図２（ｂ）に示すように、端末端子１４が設置されていないがテレビジョン放送の視聴を行いたい部屋に設置されたテレビジョン受信機２０の近辺に、別の室内用テレビジョン放送信号伝送装置が設置され、この室内用テレビジョン放送信号伝送装置の出力端子１８がテレビジョン受信機２０に接続され、切換スイッチ６の接触子６ａが接点６ｃに接触させられる。これによって、アンテナ４によって受信されたテレビジョン放送信号が切換スイッチ６を介して増幅器１６で増幅され、出力端子１８からテレビジョン受信機２０に供給される。更に別の部屋においてもテレビジョン放送信号を受信する場合には、更に別の室内用テレビジョン放送信号伝送装置を準備し、上述したように出力端子１８とテレビジョン受信機２０とを接続し、切換スイッチ６を切り換えれば、同様に受信できる。
【００２１】
このように、このテレビジョン放送信号伝送装置を使用すれば、新たにテレビジョン放送を視聴しようとする部屋まで伝送線路を追加的に敷設する必要が無い。
【００２２】
本発明の参考例のテレビジョン放送信号伝送装置を図３に示す。第１の実施の形態のテレビジョン放送信号伝送装置では、端末端子１４から供給されたテレビジョン放送信号は、アンテナ４から送信できるだけであり、端末端子１４の近傍にテレビジョン受信機が設置されていても、そのテレビジョン受信機にテレビジョン放送信号を供給することができない。参考例のテレビジョン放送信号伝送装置は、この点を改善したもので、第１の実施の形態の切換スイッチ６に代えて、供給手段、例えばハイブリッド回路２２が使用されている。ハイブリッド回路２２を使用しているので、入力端子１２から供給されたテレビジョン放送信号は、アンテナ４及び出力端子１８の双方に供給される。なお、アンテナ４には、ハイブリッド回路２２から出力されたテレビジョン放送信号を増幅手段、例えば増幅器２４によって増幅したものが供給されている。
【００２３】
本発明の第２の実施形態のテレビジョン放送信号伝送装置を図４に示す。このテレビジョン放送信号伝送装置では、アンテナとして送信アンテナ４ｔと受信アンテナ４ｒとが設けられている。送信アンテナ４ｔとしては、例えば無指向性のものが使用され、受信アンテナ４ｒとしては例えば指向性アンテナが使用されている。
【００２４】
これらアンテナ４ｔ、４ｒは、切換手段、例えば切換スイッチ２６の接点２６ｂ、２６ｃに接続されている。切換スイッチ２６は接点２６ｂ、２６ｃのいずれかに接触する接触子２６ａを有し、これは伝送線路２８を介して切換スイッチ６の接触子６ａに接続されている。他の構成は、第１の実施形態のテレビジョン放送信号伝送装置と同一である。但し、切換スイッチ６、２６は、リモートコントローラ８によって同期して切り換えられる。即ち、切換スイッチ６の接触子６ａが接点６ｂに接触しているとき、切換スイッチ２６の接触子２６ａも接点２６ｂに接触し、接触子６ａが接点６ｃに接触しているとき、接触子２６ａも接点２６ｃに接触する。
【００２５】
このように構成された室内用テレビジョン放送信号伝送装置は、次のように使用される。例えば図５（ａ）に示すように、１台の室内用テレビジョン放送信号伝送装置を、端末端子１４が設けられている部屋に配置し、端末端子１４と入力端子１２とを接続し、切換スイッチ６の接触子６ａを接点６ｂ側に切り換え、切換スイッチ２６の接触子２６ａを接点２６ｂ側に切り換える。これによって、端末端子１４、入力端子１２を介して増幅器１０に供給され、増幅されたテレビジョン放送信号は、切換スイッチ６、伝送線路２８、切換スイッチ２６を介してアンテナ４ｔに供給され、ここから再送信される。
【００２６】
一方、図５（ｂ）に示すように、端末端子１４が設置されていないがテレビジョン放送の視聴を行いたい部屋に設置されたテレビジョン受信機２０の近辺に、別の室内用テレビジョン放送信号伝送装置が設置され、この室内用テレビジョン放送信号伝送装置の出力端子１８がテレビジョン受信機２０に接続され、切換スイッチ６の接触子６ａが接点６ｃに接触させられ、切換スイッチ２６の接触子２６ａが接点２６ｃに接触させられる。これによって、受信アンテナ４ｒによって受信されたテレビジョン放送信号が切換スイッチ２６、伝送線路２８及び切換スイッチ６を介して増幅器１６に供給され、ここで増幅されて、出力端子１８からテレビジョン受信機２０に供給される。更に別の部屋においてもテレビジョン放送信号を受信する場合には、更に別の室内用テレビジョン放送信号伝送装置を準備し、上述したように出力端子１８とテレビジョン受信機２０とを接続し、切換スイッチ６、２６を切り換えれば、同様に受信できる。
【００２７】
このように、送信アンテナ４ｔと受信アンテナ４ｒとを別個に設けてあるので、送受信をそれぞれ最適な状態で行うことができる。しかも、送信アンテナ４ｔからの伝送路と、受信アンテナ４ｒの伝送路として、伝送線路２８を切り換えて使用しているので、回路構成を簡略化することができる。
【００２８】
参考例では、ハイブリッド回路２２を用いたが、これに代えて分配器を使用することもできる。第１及び第２の実施形態では、室内用テレビジョン放送信号伝送装置は、別の同じ室内用テレビジョン放送信号伝送装置から再送信されたテレビジョン放送信号をアンテナ４または４ｒで受信したが、これらアンテナ４、４ｒを放送局から送信されるテレビジョン放送信号受信用の室内アンテナとしても使用することができる。
【図面の簡単な説明】
【００２９】
【図１】本発明の第１実施形態のテレビジョン放送信号伝送装置のブロック図である。
【図２】図１のテレビジョン放送信号伝送装置の使用状態を示す図である。
【図３】本発明の参考例のテレビジョン放送信号伝送装置のブロック図である。
【図４】本発明の第２実施形態のテレビジョン放送信号伝送装置のブロック図である。
【図５】図４のテレビジョン放送信号伝送装置の使用状態を示す図である。
【符号の説明】
【００３０】
２  筐体
４  アンテナ
４ｔ  送信アンテナ
４ｒ  受信アンテナ
６  ２６切換スイッチ（切換手段）
１２  入力端子
１４  端末端子
１６  増幅器（増幅手段）
１８  出力端子
２０  テレビジョン受信機
２２  ハイブリッド回路（供給手段）
２８  伝送線路
【図１】
0004943090.tif 000002
【図２】
0004943090.tif 000003
【図３】
0004943090.tif 000004
【図４】
0004943090.tif 000005
【図５】
0004943090.tif 000006